(57)【特許請求の範囲】
【請求項１】
蓋体の一側部下面に縦設したピンを容器本体の一側部に形成されたピン孔に挿通し、該ピンを中心として蓋体を旋回させることで、蓋体をすりあわせ状態に開閉する化粧料容器において、前記ピン孔下部に拡径部を形成するとともに、該拡径部に突出する前記ピンの外周部に径大かつ先細り状に形成された係止部を一体に形成し、前記拡径部の下部より該ピン外周に弾性チューブを圧入嵌合し、前記係止部と前記拡径部端面との間に該弾性チューブを上下圧縮状態に保持し、さらに、前記容器本体の上面に形成された化粧料収納用凹部の周囲に前記蓋体とのすりあわせ面より高い位置決め用突起を周回状に形成するとともに、前記蓋体のすりあわせ面中央には該突起に係合する位置決め用凹部が形成されていることを特徴とする化粧料容器。
【発明の詳細な説明】
【０００１】
【発明の属する技術分野】
本発明は化粧料容器に関し、特に容器本体および蓋体の一側部に縦方向に貫通配置されたヒンジピンを中心とする旋回操作により容器本体に対して蓋体をすりあわせ状態に開閉できるようにした構造に関する。
【０００２】
【従来の技術】
化粧料容器のうち上蓋が容器本体に対して水平旋回して容器本体を開閉する構造のものがある。このものは、容器本体と蓋体の一側部を縦通する縦軸を中心に蓋体を旋回させることで容器本体内部を開閉する構造形式である。この構造形式のものは、蓋体の閉じたときは容器本体に密着して内部の化粧料の飛散等を防ぐとともに、開放時には蓋体が任意の位置で停止する、いわゆるフリーストップ性が要求される。
【０００３】
かかる要求を満足するための例として、実公平５−３５７９２号公報に示されるように、縦方向の軸部を中心として容器本体の上部に中蓋を旋回可能に装着したものがある。かかる化粧料容器では、中蓋のほかに容器本体の一側部に蓋体が回動可能に取付けられ、蓋体を閉じた状態で中蓋を容器本体上面に押しつけてこれを容器本体に密着させることにより、本体内に収容された化粧料の飛散等を防止する一方で、蓋体を開けた状態では中蓋が容器本体から浮遊し、旋回させやすくするため、軸部外周にバネを配置し、このバネ力により常時中蓋を容器本体から離間する方向に付勢している。またフリーストップ性はバネによる押圧力によって達成される。
【０００４】
【発明が解決しようとする課題】
しかし、かかる構造では蓋が二重であり、構造が複雑化する。また、この構造では中蓋を常時離間させる方向の力が加わっているため、小形の化粧料容器であって、蓋を単体で構成し、蓋を閉じた状態で容器本体に密着させるという目的には適合できない。
【０００５】
本発明は、かかる課題を解決するものであり、その目的は、簡単な構造により、旋回操作により蓋を閉じたときは容器本体に密着して内部の気密性を高めることができるとともに、開放時にはフリーストップ性を得られるようにすること、およびひねりなどの蓋の開閉とは別の外力が加わった場合のクッション性を得られるようにした化粧料容器を提供することにある。
【０００６】
【課題を解決するための手段】
前記目的を達成するため、本発明は、蓋体の一側部下面に縦設したピンを容器本体の一側部に形成されたピン孔に挿通し、該ピンを中心として蓋体を旋回させることで、蓋体をすりあわせ状態に開閉する化粧料容器において、前記ピン孔下部に拡径部を形成するとともに、該拡径部に突出する前記ピンの外周部に径大かつ先細り状に形成された係止部を一体に形成し、前記拡径部の下部より該ピン外周に弾性チューブを圧入嵌合し、前記係止部と前記拡径部端面との間に該弾性チューブを上下圧縮状態に保持し、さらに、前記容器本体の上面に形成された化粧料収納用凹部の周囲に前記蓋体とのすりあわせ面より高い位置決め用突起を周回状に形成するとともに、前記蓋体のすりあわせ面中央には該突起に係合する位置決め用凹部が形成されていることを特徴とするものである。
【０００７】
したがって、以上の構造によれば、構造が極めて簡単である。そして、弾性チューブの圧縮による反発弾性により閉蓋状態では蓋体は容器本体側に引寄せられて気密性を高めるように密着し、化粧料の劣化を防止する一方で、開蓋状態では蓋体の引込み方向の弾性力によってフリーストップ性を得ることができる。
【０００８】
また、本発明では、前記容器本体の上面に形成された化粧料収納用凹部の周囲に前記蓋体とのすりあわせ面より高い位置決め用突起を周回状に形成するとともに、前記蓋体のすりあわせ面中央には該突起に係合する位置決め用凹部が形成されていることにより、閉蓋位置決めを簡単な構造で達成でき、閉蓋時の密閉性も向上できる。
【０００９】
【発明の実施の形態】
以下、本発明の好ましい実施の形態につき、添付図面を参照して詳細に説明する。図１、図２（ａ），（ｂ）は本発明に係る化粧料容器としての小形コンパクト容器を示す。このコンパクト容器の寸法は、掌に収る程度の小形のものであって、容器本体１０と、容器本体１０の上面を水平旋回して開閉可能に覆う蓋体２０を備えている。容器本体１０は、着色した合成樹脂射出成形体からなる扁平かつ角が丸みを帯びた概略正方形の容器であって、その上面中央にはこれと相似形状の化粧料収納用凹部１１が形成されている。
【００１０】
蓋体２０は、合成樹脂射出成形体からなる容器本体１０の外形と同じくほぼ正方形の平坦な透明板であり、その隅角部一カ所の下部には、旋回中心となるピン２１が一体に突設されている。ピン２１の中間部には小径部２１ａが形成され、小径部２１ａの下部には、これより径大であって下部側に向けて先細り状に形成された係止部２２が一体に設けられている。
【００１１】
これに対し、容器本体１０の隅角部一カ所にはピン孔１２が開口され下部まで貫通している。ピン孔１２は、三段となっていて、最上部はピン２１の付根部の径および係止部２２の径に匹敵する大きさの軸孔１２ａとして機能し、中間部はこれより径大な第一の拡径部１２ｂであり、最下部はさらにこれより径大な第二の拡径部１２ｃとなっている。そして、第一の拡径部１２ｂはピン１２の外周に装着される弾性チューブ２３の支持用孔として機能し、第二の拡径部１２ｃはこれの圧入用の治具３０の挿通用孔として機能するものである。
【００１２】
図３（ａ），（ｂ）および図４（ａ），（ｂ）は前記ピン２１をピン孔１２に挿通し、弾性チューブ２３をピン２１の外周に取付ける手順を示すもので、先ず図３（ａ）に示すように、ピン２１を軸孔１２ａに挿通し、この状態で容器本体１０と蓋体２０を閉蓋状態に固定する。一方、下部側より先端に弾性チューブ２３を保持した圧入治具３０を挿通すると、図３（ｂ）に示すように、弾性チューブ２３は拡径しつつ係止部２２のテーパ面に沿って小径部２１ａの外周に挿通され、図４（ａ）に示すように、係止部２２を乗越えることで縮径し、第一の拡径部１２ｂ内に収まる。
【００１３】
その後治具３０を取り去ると、図４（ｂ）に示すように、弾性チューブ２３の上下端面は係止部２２の端面と第一の拡径部１２ｂの端面間に圧縮状態に保持され、その反発弾性により、常時ピン２１を容器本体１０側へ引込もうとする弾性力を作用させ、その結果蓋体２０は常時容器本体１０の上面に気密に密着する。
【００１４】
さらに、前記化粧料収納凹部１１の周縁はその周囲から斜めに立上がる位置決め用凸部１４が形成され、これに対し、蓋体２０のすりあわせ面中央にはこの凸部１４と係合する凹部２４が傾斜状態に形成されている（図３，４参照）。以上により特に図２（ａ）に示すように、蓋体２０の閉蓋位置を位置決めがなされるほか、両者の正方形を一致させると、その傾斜面のすりあわせにより、沿面距離を増加させ、閉蓋状態における内部の密閉性を向上させる。
【００１５】
また、閉蓋状態から蓋体２０を横方向に開く場合には、凸部１４から凹部２４が抜出す際の軽い抵抗感を伴って同図（ｂ）に示すように開蓋される。またその逆に閉蓋するときには、凹部２４が凸部１４内に引込まれて軽いショック、或はクリック音を伴って安定状態に閉止されるため、正規位置に閉蓋されたことを体感的に確認できることになる。
【００１６】
なお、図２（ｂ）では全開状態を示しているが、開蓋時における蓋体２０は任意の位置で静止させることが出来、いわゆるフリーストップ性を得られる。これは、弾性チューブ２２の弾性によって常時蓋体２０を容器本体１０側に引寄せる力が作用するからであり、傾けたときなどに不意に移動することによる使用上の不具合も防止できる。また、旋回操作以外の外力、例えばひねりなどの力が加わっても、弾性チューブ２３のクッション性によってピン２１の折損なども防止できる。
【００１７】
【発明の効果】
以上の説明により明らかなように、本発明による化粧料容器によれば、簡単な構造により、旋回操作により蓋を閉じたときは容器本体に気密に密着して化粧料の飛散やその劣化を防ぐとともに、開放時にはフリーストップ性を得られるようにすること、およびひねりなどの蓋の開閉とは別の外力が加わった場合のクッション性を得ることができる。さらに、前記容器本体の上面に形成された化粧料収納用凹部の周囲に前記蓋体とのすりあわせ面より高い位置決め用突起を周回状に形成するとともに、前記蓋体のすりあわせ面中央には該突起に係合する位置決め用凹部が形成されていることにより、閉蓋位置決めを簡単な構造で達成でき、閉蓋時の密閉性も向上できる。
【図面の簡単な説明】
【図１】本発明に係る化粧料容器として例示した小形コンパクト容器の分解斜視図である。
【図２】（ａ）は同コンパクト容器の閉蓋状態を示す斜視図、（ｂ）は同開蓋状態を示す斜視図である。
【図３】（ａ），（ｂ）は同コンパクト容器における弾性チューブの取付工程を示す部分拡大断面図である。
【図４】（ａ），（ｂ）は図３に引続く取付工程を示す部分拡大断面図である。
【符号の説明】
１０  容器本体
１１  化粧料収納凹部
１２  ピン孔
１２ａ  ピン挿通孔
１２ｂ  第一の拡径部
１２ｃ  第二の拡径部
１４  位置決め用凸部
２０  蓋体
２１  ピン
２２  係止部
２３  弾性チューブ
２４  位置決め用凹部
【図１】
0004004265.tif 000002
【図２】
0004004265.tif 000003
【図３】
0004004265.tif 000004
【図４】
0004004265.tif 000005